(57)【要約】【目的】この発明の目的は、天井板に対する照明器具を内蔵した箱体の上下方向位置を容易に調整し得て、外観を損なわせる不都合を解消することにある。【構成】このため、この発明は、天井スラブから吊り具により吊り下げて保持された支持部材に天井板を支持して設け、この天井板に開口を形成して設け、この開口を覆うように天井板の上側に下向きに開口する箱体を前記支持部材に取付けて設け、この箱体内に前記開口から光を照射する照明器具を内蔵した照明装置において、前記天井板の開口内に挿入位置された前記箱体下端の下側面を前記天井板の下側面に一致させるように前記天井板に対する箱体の上下方向位置を調整可能な取付具を設けたことを特徴とする。【選択図】        図１
2005026098.tif 000002
【特許請求の範囲】
【請求項１】
天井スラブから吊り具により吊り下げて保持された支持部材に天井板を支持して設け、この天井板に開口を形成して設け、この開口を覆うように天井板の上側に下向きに開口する箱体を前記支持部材に取付けて設け、この箱体内に前記開口から光を照射する照明器具を内蔵した照明装置において、前記天井板の開口内に挿入位置された前記箱体下端の下側面を前記天井板の下側面に一致させるように前記天井板に対する箱体の上下方向位置を調整可能な取付具を設けたことを特徴とする照明装置の取付構造。
【請求項２】
前記取付具は、前記箱体に取付けられる箱体側取付体と前記支持部材に取付けられる支持部材側取付体とからなり、前記箱体側取付体は箱体に取付けられる箱体側取付部と天井板の上側面に沿って延長される延長部と天井板の開口内面に接する内接部と開口中心側に伸びる平行部と開口外側に向かい上昇傾斜する傾斜部とを設け、前記箱体側取付部には水平方向に指向し且つ上下方向に一定間隔で配設されるあり及びあり溝からなる箱体側係合部を設け、前記支持部材側取付体は互いに直交して略Ｌ字形状に連続する支持部材側第１取付部と支持部材側第２取付部とを設け、前記支持部材側第１取付部には支持部材側第１取付部と支持部材側第２取付部との直交する部位に描出される直交線と平行する方向に指向し且つこの直交線から離間する方向に一定間隔で配設されるとともに前記箱体側係合部のあり及びあり溝と係合離脱可能なあり及びあり溝からなる支持部材側第１係合部を設け、前記支持部材側第２取付部には前記直交線と平行する方向に指向し且つこの直交線から離間する方向に一定間隔で配設されるとともに前記箱体側係合部のあり及びあり溝と係合離脱可能なあり及びあり溝からなる支持部材側第２係合部を設け、前記直角線から前記支持部材側第１係合部の直角線に最接近する位置のありまでの第１距離と前記直角線から前記支持部材側第２係合部の直角線に最接近する位置のありまでの第２距離とを異ならせて設けたことを特徴とする請求項１に記載の照明装置の取付構造。
【発明の詳細な説明】
【０００１】
【発明の属する技術分野】
この発明は照明装置の取付構造に係り、特に、天井板に対する照明器具を内蔵した箱体の上下方向位置を容易に調整し得て、外観を損なわせる不都合を解消し得る照明装置の取付構造に関する。
【０００２】
【従来の技術】
照明装置には、天井板の上側に設けられるいわゆる埋め込み型のものがある。埋め込み型の照明装置には、天井スラブから吊り具により吊り下げて保持された支持部材に天井板を支持して設け、この天井板に開口を形成して設け、この開口を覆うように天井板の上側に下向きに開口する箱体を支持部材に取付けて設け、この箱体内に開口から光りを照射する照明器具を内蔵しているものがある。
【０００３】
この照明装置は、照明器具を内蔵した箱体を天井板の支持部材に取付けており、箱体はそのままに照明器具を交換することによって、配光を容易に変更することができるため、室内の雰囲気を容易に変化させることができる。
【０００４】
従来の照明装置の取付構造には、枠体と上天井板とで下方に開口する箱状の埋め込み部材を形成し、この埋め込み部材の枠体の内周に沿って間接照明器具を装着するとともに上天井板に直接照明器具を装着し、天井板に形成した開口に埋め込み部材を下側から埋め込んで天井板の支持部材である下地材に取付け、間接照明器具の内周側を覆うじゃま板を枠体の全周にわたって取付けたものがある（例えば、特許文献１参照。）。
【０００５】
【特許文献１】
特開平７−９９００８号公報（特許請求の範囲、図１〜図３）
【０００６】
【発明が解決しようとする課題】
ところで、従来の照明装置の取付構造においては、天井板に形成した開口の上側に照明器具を内蔵した箱体を取付ける場合に、箱体を天井板の支持部材や下地材に取付具により取付けている。
【０００７】
ところが、従来の取付構造においては、天井板に対する箱体の上下方向位置を調整することができないため、天井板に対する箱体の上下方向位置がずれてしまい、箱体下端の下側面と天井板の下側面との間に段差を生じる問題がある。
【０００８】
例えば、天井板に形成した開口内に箱体下端を挿入位置させて取付けた場合には、天井板に対する箱体の上下方向位置のずれに起因して、箱体下端の下側面と天井板の下側面とを同一高さに揃えることができず、段差を生じる問題がある。
【０００９】
このため、従来の照明装置の取付構造においては、箱体の取付時に段差を無くすための高さ調整作業に手間がかかり、取付作業が煩雑化する不都合があるとともに、箱体下端の下側面と天井板の下側面とに段差を生じた場合に、外観を損なわせる不都合がある。
【００１０】
【課題を解決するための手段】
そこで、この発明は、上述不都合を除去するために、天井スラブから吊り具により吊り下げて保持された支持部材に天井板を支持して設け、この天井板に開口を形成して設け、この開口を覆うように天井板の上側に下向きに開口する箱体を前記支持部材に取付けて設け、この箱体内に前記開口から光を照射する照明器具を内蔵した照明装置において、前記天井板の開口内に挿入位置された前記箱体下端の下側面を前記天井板の下側面に一致させるように前記天井板に対する箱体の上下方向位置を調整可能な取付具を設けたことを特徴とする。
【００１１】
【発明の実施の形態】
この発明の照明装置の取付構造は、天井板の開口内に挿入位置された箱体下端の下側面を天井板の下側面に一致させるように、天井板に対する箱体の上下方向位置を調整可能な取付具を設けたことにより、取付具によって天井板に対する照明器具を内蔵した箱体の上下方向位置を調整しながら箱体を支持部材に取付けることができる。
【００１２】
【実施例】
以下図面に基づいて、この発明の実施例を説明する。図１〜図８は、この発明の第１実施例を示すものである。図５において、２は部屋、４は天井スラブ、６は天井である。部屋２の上部を形成する建物躯体の天井スラブ４には、天井６を設けている。
【００１３】
天井６は、天井スラブ４から吊り具８により吊り下げて保持された支持部材１０に天井板１２を支持して構成される。吊り具８は、天井スラブ４から部屋２の下方に向かって垂設され、下端のねじ部１４にナット１６により略Ｊ字形状の保持具１８上端を取付け、この保持具１８下端に支持部材１０を保持している。支持部材１０は、保持具１８に保持される断面Ｃ形状の第１の支持部材１０−１と、この第１の支持部材１０−１に対して交差するように配設される断面Ｍ字形状の第２の支持部材１０−２とからなり、第２の支持部材１０−２に天井板１２を支持している。
【００１４】
前記天井６には、埋め込み型の照明装置２０を設けている。照明装置２０は、天井６の天井板１２に形成された開口２２を覆うように下向きに開口する箱体２４を第１の支持部材１０−１に取付けて設け、この箱体２４内に開口２２から光を照射する照明器具２６を内蔵している。
【００１５】
前記箱体２４は、開口２２を囲む四角筒形状の周壁部材２８とこの周壁部材２８の上端を塞ぐ平板形状の上側部材３０とからなり、有蓋無底四角筒形状に形成されている。上側部材３０には、箱体２４内側に取付レール３２を設け、この取付レール３２に取付けた取付アーム３４に前記照明器具２６を支持している。照明器具２６は、２点鎖線で示すように、取付アーム３４によって配光方向を変更可能に支持されている。
【００１６】
箱体２４は、天井板１２に対する上下方向位置を調整可能な取付具３６により第１の支持部材１０−１に取付けて設けている。取付具３６は、箱体２４に取付けられる箱体側取付体３８と、第１の支持部材１０−１に取付けられる支持部材側取付体４０とからなる。
【００１７】
前記箱体側取付体３８は、図６・図７に示す如く、箱体２４の周壁部材２８外周に取付けられる箱体側取付部４２と、箱体側取付部４２下端から天井板１２の上側面４４に沿って延長される延長部４６と、天井板１２の開口２２内に挿入されて内面４８に接する内接部５０と、内接部５０下端から天井板１２の下側面５２に平行して開口２２中心側に伸びる平行部５４と、平行部５４先端から開口２２外側に向かい上昇傾斜する傾斜部５６とを設け、全体として略Ｌ字形状に形成して設けている。
【００１８】
この箱体側取付体３８は、箱体２４下端外周に取付けられて箱体２４の一部を構成し、箱体２４を第１の支持部材１０−１に取付けた際に、内接部５０と平行部５４と傾斜部５６とを開口２２内に挿入位置される。
【００１９】
箱体側取付体３８の箱体側取付部４２は、箱体２４の周壁部材２８外側を囲むように一側を当接させて配設し、図示しない取付具により取付けられる。箱体側取付部４２の他側には、箱体側係合部５８を設けている。箱体側係合部５８は、複数のあり６０及びあり溝６２からなる。あり６０及びあり溝６２は、水平方向に指向し且つ上下方向に一定間隔ａで交互に配設される。
【００２０】
前記支持部材側取付体４０は、図８に示す如く、互いに直交して略Ｌ字形状に連続する支持部材側第１取付部６４と支持部材側第２取付部６６とを設けている。支持部材側第１・第２取付部６４・６６には、第１・第２取付孔６８・７０を設けている。
【００２１】
前記支持部材側第１取付部６４には、支持部材側第１係合部７２を設けている。支持部材側第１係合部７２は、複数のあり７４及びあり溝７６からなる。あり７４及びあり溝７６は、支持部材側第１取付部６４と支持部材側第２取付部６６との直交する部位に描出される直交線Ｌと平行する方向に指向し且つこの直交線Ｌから離間する方向に一定間隔ａで交互に配設されるとともに、箱体側係合部５８のあり６０及びあり溝６２と係合離脱可能に設けている。
【００２２】
前記支持部材側第２取付部６６には、支持部材側第２係合部７８を設けている。支持部材側第２係合部７８は、複数のあり８０及びあり溝８２からなる。あり８０及びあり溝８２は、前記直交線Ｌと平行する方向に指向し且つこの直交線Ｌから離間する方向に一定間隔ａで交互に配設されるとともに、箱体側係合部５８のあり６０及びあり溝６２と係合離脱可能に設けている。
【００２３】
支持部材側第１取付部６４と支持部材側第２取付部６６とには、直角線Ｌから支持部材側第１係合部６４の直角線Ｌに最接近する位置のあり７４の中心までの第１距離Ｄ１と、直角線Ｌから支持部材側第２係合部６６の直角線Ｌに最接近する位置のあり８０の中心までの第２距離Ｄ２とを異ならせて、支持部材側第１係合部７２と支持部材側第２係合部７８とを設けている。
【００２４】
これにより、あり７４及びあり溝７６からなる支持部材側第１係合部７２とあり８０及びあり溝８２からなる支持部材側第２係合部７８とは、直交線Ｌに対していずれか一方よりもいずれか他方を離間させて設けている。この実施例においては、直交線Ｌに対して支持部材側第１係合部７２よりも支持部材側第２係合部７８を離間させて設けている。
【００２５】
次に作用について説明する。
【００２６】
照明装置２０を天井６に取付ける際には、照明装置２を取付ける位置の天井板１２に開口２２を形成し、箱体２４の周壁部材２８下端外周に取付具３６を構成する箱体側取付体３８を取付け、天井板１２の開口２２を覆うように天井板１２の上側に箱体２４を配設する。
【００２７】
取付具３６は、箱体側取付体３８の箱体側取付部４２に設けた箱体側係合部５８のあり６０及びあり溝６２に、支持部材側取付体４０の支持部材側第１取付部６４に設けた支持部材側第１係合部７２のあり７４及びあり溝７６、あるいは、支持部材側第２取付部６６に設けた支持部材側第２係合部７８のあり８０及びあり溝８２のいずれか一方を係合させる。
【００２８】
例えば、取付具３６は、図１に示す如く、第２の支持部材１０−２に天井板１２が直接支持されている場合に、第１の支持部材１０−１の上側面８４から天井板１２の下側面５２までの高さＨ１を考慮して、天井板１２の開口２２内に挿入位置された箱体２４下端を構成する箱体側取付体３８の平行部５４の下側面８６を天井板１２の下側面５２に一致させるように、箱体側取付体３８の箱体側取付部４２に設けた箱体側係合部５８のあり６０及びあり溝６２に支持部材側取付体４０の支持部材側第２取付部６６に設けた支持部材側第２係合部７８のあり８０及びあり溝８２を係合させ、支持部材側取付体４０の支持部材側第１取付部６４を第１の支持部材１０−１の上側面８４に当接させる。
【００２９】
また、取付具３６は、図２に示す如く、第２の支持部材１０−２に前記天井板１２よりも薄い天井板１２ａが直接支持されている場合に、第１の支持部材１０−１の上側面８４から薄い天井板１２ａの下側面５２までの高さＨ２を考慮して、薄い天井板１２ａの開口２２内に挿入位置された箱体２４下端を構成する箱体側取付体３８の平行部５４の下側面８６を薄い天井板１２ａの下側面５２に一致させるように、箱体側取付体３８の箱体側取付部４２に設けた箱体側係合部５８のあり６０及びあり溝６２に支持部材側取付体４０の支持部材側第１取付部６４に設けた支持部材側第１係合部７２のあり７４及びあり溝７６を係合させ、支持部材側取付体４０の支持部材側第２取付部６６を第１の支持部材１０−１の上側面８４に当接させる。
【００３０】
さらに、取付具３６は、図３に示す如く、第２の支持部材１０−２に支持された古い天井板１２ｂをそのままに新しい天井板１２が重ねて支持されている場合に、第１の支持部材１０−１の上側面８４から新しい天井板１２の下側面５２までの高さＨ３を考慮して、新しい天井板１２の開口２２内に挿入位置された箱体２４下端を構成する箱体側取付体３８の平行部５４の下側面８６を新しい天井板１２の下側面５２に一致させるように、箱体側取付体３８の箱体側取付部４２に設けた箱体側係合部５８のあり６０及びあり溝６２に支持部材側第２取付部６６に設けた支持部材側第２係合部７８のあり８０及びあり溝８２をずらして係合させ、支持部材側取付体４０の支持部材側第１取付部６４を第１の支持部材１０−１の上側面８４に当接させる。
【００３１】
さらにまた、取付具３６は、図４に示す如く、第２の支持部材１０−２に支持された古い天井板１２ｂをそのままに前記天井板１２よりも薄い天井板１２ａが重ねて支持されている場合に、第１の支持部材１０−１の上側面８４から薄い天井板１２ａの下側面５２までの高さＨ４を考慮して、薄い天井板１２ａの開口２２内に挿入位置された箱体２４下端を構成する箱体側取付体３８の平行部５４の下側面８６を薄い天井板１２ａの下側面５２に一致させるように、箱体側取付体３８の箱体側取付部４２に設けた箱体側係合部５８のあり６０及びあり溝６２に支持部材側取付体４０の支持部材側第１取付部６４に設けた支持部材側第１係合部７２のあり７４及びあり溝７６を係合させ、支持部材側取付体４０の支持部材側第２取付部６６を第１の支持部材１０−１の上側面８４に当接させる。
【００３２】
これにより、箱体２４は、天井板１２に対する箱体２４の上下方向位置を調整可能な取付具３６によって、天井板１２に対する上下方向位置を調整しながら第１の支持部材１０−１に取付けられる。
【００３３】
このように、この照明装置２０の取付構造は、天井板１２の開口２２内に挿入位置された箱体２４下端を構成する箱体側取付体３８の平行部５４の下側面８６を天井板１２の下側面５２に一致させるように、天井板１２に対する箱体２４の上下方向位置を調整可能な取付具３６を設けたことにより、取付具３６によって天井板１２に対する照明器具２６を内蔵した箱体２４の上下方向位置を調整しながら、箱体２４を第１の支持部材１０−１に取付けることができる。
【００３４】
このため、この照明装置２０の取付構造は、箱体２４の取付時に箱体２４と天井板１２との段差を無くすための高さ調整作業を容易に行うことができ、天井板１２に対する箱体２４の上下方向位置のずれを防止することができ、外観を損なわせる不都合を解消することができる。
【００３５】
なお、この実施例の取付具３６は、箱体側取付体３８に設けた箱体側係合部５８のあり６０及びあり溝６２に、支持部材側取付体４０に設けた支持部材側第１係合部７２のあり７４及びあり溝７６、あるいは、支持部材側第２取付部６６に設けた支持部材側第２係合部７８のあり８０及びあり溝８２のいずれか一方を係合させることにより、天井板１２に対する箱体２４の上下方向位置を調整したが、その他の手段を加えて上下方向位置を調整することができる。
【００３６】
例えば、取付具３６は、図９に示す如く、箱体側取付体３８に設けた箱体側係合部５８のあり６０及びあり溝６２に支持部材側第２取付部６６に設けた支持部材側第２係合部７８のあり８０及びあり溝８２を係合させ、支持部材側取付体４０に設けた支持部材側第１取付部６４を第１の支持部材１０−１の上側面８４に適宜の厚さのスペーサ８８を介して当接させることにより、天井板１２に対する箱体２４の上下方向位置を調整することができる。
【００３７】
図１０は、第２実施例を示すものである。第２実施例の照明装置２０の取付構造は、第１の支持部材１０−１の上側面８４とこの上側面８４に当接される支持部材側取付体４０の支持部材側第１取付部６４あるいは支持部材側第２取付部６６との間に、複数枚の積層材９０を剥離可能に積層した介装体９２を介装して設けたものである。
【００３８】
この照明装置２０の取付構造は、照明装置２０を天井６に取付ける際に、第１の支持部材１０−１の上側面８４と支持部材側取付体４０の支持部材側第１取付部６４、あるいは支持部材側第２取付部６６との間に介装体９２を介装し、この介装体９２の複数枚の積層材９０を剥離することにより、天井板１２に対する箱体２４の上下方向位置をさらに細かく調整することができる。
【００３９】
図１１・図１２は、第３実施例を示すものである。第３実施例の照明装置２０の取付構造は、図１１に示す如く、箱体側取付体３８を構成する箱体側取付部４２の箱体側係合部５８として、水平方向に対して角度θだけ傾斜する方向に指向し且つ上下方向に一定間隔ａで交互に配設される複数のあり６０及びあり溝６２を設けている。
【００４０】
また、この取付構造は、図１２（Ｂ）に示す如く、支持部材側取付体４０を構成する支持部材側第１取付部６４の支持部材側第１係合部７２として、直交線Ｌと平行する方向に対して角度θだけ傾斜する方向に指向し且つこの直交線Ｌから離間する方向に一定間隔ａで交互に配設されるとともに、箱体側係合部５８のあり６０及びあり溝６２と係合離脱可能な複数のあり７４及びあり溝７６に設けている。
【００４１】
さらに、この取付構造は、図１２（Ａ）に示す如く、支持部材側第２取付部６６の支持部材側第２係合部７８として、直交線Ｌと平行する方向に対して角度θだけ傾斜する方向に指向し且つこの直交線Ｌから離間する方向に一定間隔ａで交互に配設されるとともに、箱体側係合部５８のあり６０及びあり溝６２と係合離脱可能な複数のあり８０及びあり溝８２を設けている。
【００４２】
この照明装置２０の取付構造は、照明装置２０を天井６に取付ける際に、箱体側取付体３８の箱体側取付部４２に設けた箱体側係合部５８の傾斜するあり６０及びあり溝６２に、支持部材側取付体４０の支持部材側第１取付部６４に設けた支持部材側第１係合部７２の傾斜するあり７４及びあり溝７６、あるいは、支持部材側第２取付部６６に設けた支持部材側第２係合部７８の傾斜するあり８０及びあり溝８２のいずれか一方を係合させ、支持部材側取付体４０の支持部材側第１取付部６４、あるいは、支持部材側第２取付部６６の他方を第１の支持部材１０−１の上側面８４に当接させる。
【００４３】
取付具３６は、この状態において支持部材側取付体４０の支持部材側第１取付部６４、あるいは、支持部材側第２取付部６６を、第１の支持部材１０−１の上側面８４に沿って水平方向Ｘに移動させると、移動する支持部材側取付体４０の傾斜するあり７４及びあり溝７６、あるいは、傾斜するあり８０及びあり溝８２に沿って、箱体側取付体３８の傾斜するあり６０及びあり溝６２が上下方向Ｙに移動されることにより、箱体２４を上下方向に移動させることができ、天井板１２に対する箱体２４の上下方向位置をさらに細かく調整することができる。
【００４４】
【発明の効果】
このように、この発明の照明装置の取付構造は、取付具によって天井板に対する照明器具を内蔵した箱体の上下方向位置を調整しながら、箱体を支持部材に取付けることができる。
このため、この発明の照明装置の取付構造は、箱体の取付時に箱体と天井板との段差を無くすための高さ調整作業を容易に行うことができ、天井板に対する箱体の上下方向位置のずれを防止することができ、外観を損なわせる不都合を解消することができる。
【図面の簡単な説明】
【図１】この発明の第１実施例を示す照明装置の取付構造の断面図である。
【図２】薄い天井板の場合の取付構造の断面図である。
【図３】古い天井板に新しい天井板を重ねている場合の取付構造の断面図である。
【図４】古い天井板に新しく薄い天井板を重ねている場合の取付構造の断面図である。
【図５】照明装置を取付けた天井の断面図である。
【図６】箱体側取付体の側面図である。
【図７】箱体側取付体の正面図である。
【図８】支持部材側取付体を示し、（Ａ）は正面図、（Ｂ）は側面図、（Ｃ）は平面図である。
【図９】変形例を示す取付構造の断面図である。
【図１０】第２実施例を示す支持部材側取付体の側面図である。
【図１１】第３実施例を示す箱体側取付体の正面図である。
【図１２】支持部材側取付体を示し、（Ａ）は正面図、（Ｂ）は平面図である。
【符号の説明】
２  部屋
４  天井スラブ
６  天井
８  吊り具
１０  支持部材
１２  天井板
１８  保持具
２０  照明装置
２２  開口
２４  箱体
２６  照明器具
３６  取付具
３８  箱体側取付体
４０  支持部材側取付体
４２  箱体側取付部
５８  箱体側係合部
６０  あり
６２  あり溝
６４  支持部材側第１取付部
６６  支持部材側第２取付部
７２  支持部材側第１係合部
７４  あり
７６  あり溝
７８  支持部材側第２係合部
８０  あり
８２  あり溝
【図１】
2005026098.tif 000003
【図２】
2005026098.tif 000004
【図３】
2005026098.tif 000005
【図４】
2005026098.tif 000006
【図５】
2005026098.tif 000007
【図６】
2005026098.tif 000008
【図７】
2005026098.tif 000009
【図８】
2005026098.tif 000010
【図９】
2005026098.tif 000011
【図１０】
2005026098.tif 000012
【図１１】
2005026098.tif 000013
【図１２】
2005026098.tif 000014
【手続補正書】
【提出日】平成15年7月14日(2003.7.14)
【手続補正１】
【補正対象書類名】図面
【補正対象項目名】全図
【補正方法】変更
【補正の内容】
【図１】
2005026098.tif 000015
【図２】
2005026098.tif 000016
【図３】
2005026098.tif 000017
【図４】
2005026098.tif 000018
【図５】
2005026098.tif 000019
【図６】
2005026098.tif 000020
【図７】
2005026098.tif 000021
【図８】
2005026098.tif 000022
【図９】
2005026098.tif 000023
【図１０】
2005026098.tif 000024
【図１１】
2005026098.tif 000025
【図１２】
2005026098.tif 000026